(57)【要約】  ソーラーセル（２）；ソーラーセル（２）から導き出された電気的なパワーによって最も少ないときで部分的にパワーが供給されたものであるために適合させられた光源（８）；並びにソーラーセル（２）に向かって太陽光（６）を向けるために配置された第一の反射性の表面（５）が提供された第一の側面（４）及び光源（８）が光（９）を放出するとき光源（８）によって発生させられた熱を散逸させるために熱的に結合させられたものであるところの第二の側面（７）を有する構造的な部材（３）を具備する、ソーラーパワーが供給された照明具の配置（１）。本発明との一致におけるソーラーパワーが供給された照明具の配置の提供で、構造的な部材は、結論として、ソーラーセルに向かって太陽光を向ける反射させる表面としてだけではなく、追加的に光源についてのヒートシンクとしても機能することがある。
2012531705.tif 000002
【特許請求の範囲】
【請求項１】
ソーラーパワーが供給された照明具の配置であって、
ソーラーセル；
前記ソーラーセルから導き出された電気的なパワーによって最も少ないときで部分的にパワーが供給されたものであるために適合させられた光源；並びに、
前記ソーラーセルに向かって太陽光を向けるために配置された第一の反射性の表面及び前記光源が光を放出するとき前記光源によって発生させられた熱を散逸させるために熱的に結合させられたものであるところの第二の表面が提供された第一の側面を有する構造的な部材
：を具備する、ソーラーパワーが供給された照明具の配置。
【請求項２】
請求項１に従ったソーラーパワーが供給された照明具の配置において、
前記構造的な部材は、金属のプレートである、ソーラーパワーが供給された照明具の配置。
【請求項３】
請求項１又は２に従ったソーラーパワーが供給された照明具の配置において、
前記第二の側面は、前記光源によって放出された光を向けるために配置された第二の反射性の表面が提供されたものである、ソーラーパワーが供給された照明具の配置。
【請求項４】
請求項１から３までのいずれか一つに従ったソーラーパワーが供給された照明具の配置において、
上記の光源は、最も少ないときで一つの発光ダイオードを具備する、ソーラーパワーが供給された照明具の配置。
【請求項５】
請求項１から４までのいずれか一つに従ったソーラーパワーが供給された照明具の配置において、
前記ソーラーセルは、複数のソーラーセルの相互接続された組み立て品において具備されたものである、ソーラーパワーが供給された照明具の配置。
【請求項６】
請求項１から５までのいずれか一つに従ったソーラーパワーが供給された照明具の配置であって、
さらに、前記ソーラーセルからの電気的なパワーを蓄積するための中間の蓄積ユニットを具備する、ソーラーパワーが供給された照明具の配置。
【請求項７】
請求項１から６までのいずれか一つに従ったソーラーパワーが供給された照明具の配置であって、
さらに、前記光源を活動化するために適合させられた存在検出センサーを具備する、ソーラーパワーが供給された照明具の配置。
【請求項８】
請求項１から７までのいずれか一つに従ったソーラーパワーが供給された照明具の配置において、
上記の配置は、太陽が空を移動する際に太陽の光の焦点が上記のソーラーセルに保たれたものであるように、前記第一の側面の上記の第一の反射性の表面をある角度に向けるために適合させられたものである、ソーラーパワーが供給された照明具の配置。
【請求項９】
請求項１から８までのいずれか一つに従ったソーラーパワーが供給された照明具の配置であって、
さらに、前記配置の制御のための制御ユニットを具備する、ソーラーパワーが供給された照明具の配置。
【請求項１０】
請求項１から９までのいずれか一つに従ったソーラーパワーが供給された照明具の配置であって、
さらに、上記の光源から放出された光を拡散させるための拡散体の層を具備する、ソーラーパワーが供給された照明具の配置。
【請求項１１】
請求項１から１０までのいずれか一つに従ったソーラーパワーが供給された照明具の配置において、
上記の配置は、立っている柱に配置されたものである、ソーラーパワーが供給された照明具の配置。
【発明の詳細な説明】
【技術分野】
【０００１】
発明の分野
本発明は、ソーラーセル及びソーラーセルから導き出された電気的なパワーによって最も少ないときで部分的にパワーが供給されたものであるために適合させられた光源を具備するソーラーパワーが供給された照明具の配置に関係する。
【背景技術】
【０００２】
関係させられた技術の記載
農村地帯に人工の光を持ってくることは、国と同様に、コミュニティの発展のための方法であってもよい。それらがしばしば外れた格子であるにつれて、通常の照明溶液はしかしながらこれらの農村地帯の多数において可能ではならない。そして、すなわち動力伝達装置ネットワークによってカバーされない。この種の状況において、光を持ってくる１つの周知の方法は、電力生産の目的で太陽動力照明を利用している太陽電池（太陽電池）を設置することであってもよい。電力は、次の用途のための再充電可能電池に保存されることができる；たとえば、１または光源（暗黒の時間の間に農村地帯に光を持ってくることができる）から成る数人の先覚者に電力を供給する。
【０００３】
太陽電池から電力生産に関連した費用を減らすために、反射ミラー（例えばコンセントレータ）を利用することは、有利でもよい。コンセントレータは、太陽電池に向けられるより小さい光線に日光の広域を集中させるのに適していてもよい。このように、太陽電池は日光の増加した量を利用することができる。それによって、電気の増加した量ができることができる。電力生産の特定のレベルに達するために、同じことが欠如している溶液のためにより少しの細胞は、それ故、コンセントレータから成る太陽電池板溶液のために必要とされるかもしれない。この種の方法はＤＥ４４３３４７６に例えば記載されている。そして、コスト効率的な方法の光電子システムのパフォーマンス・レベルを強化する方法を開示する。ＤＥ４４３３４７６において、器材の低い経費が成し遂げられること日光が表面を反映することを有する反射するシステムによって光電子システム上へ集中されるという点で、どの表面が、色のついた、従って、波長選択鏡から成る。
【０００４】
より少しの太陽電池が必要であることができるように、ＤＥ４４３３４７６が方法を波長選択鏡を導くことによってコストを節約する記載するにもかかわらず、太陽動力照明の供給の周知の解決において利用される付加的な構成要素に関して費用を少なくする必要がまだある。
【０００５】
それゆえに、上記の関連した欠点が少なくとも部分的に除去される装置の必要が、ある。
【先行技術文献】
【特許文献】
【０００６】
【特許文献１】独国特許出願公開第４４３３４７６号
【発明の概要】
【課題を解決するための手段】
【０００７】
発明の概要
本発明によれば、上記は太陽動力照明装置によって少なくとも部分的に満たされる。そして、太陽電池から成る；電力によって少なくとも部分的に電力を供給されるのに適している光源は、太陽電池に由来した；そして、第１の反射面を備えている第１側部を有する構造部材は、太陽電池および光を発するときに、光源が光源によって発生する熱を放散させるために熱的に連結される第２側部に日光を向けるよう手配した。
【０００８】
本発明の太陽動力照明装置で、構造部材は、従って、太陽電池に日光を向けるための反射器だけでなく、加えて、光源のためのヒートシンクとしても機能することができる。第１側部の第１の反射面は太陽電池に向けられるより小さい光線に日光の広域を集中させるのに適している。その一方で、構造部材の第２側部は光源から熱エネルギー（熱）の転送に適応する冷却装置として作用している。それによって、光源の温度を低下させる。熱の消散のための別々のヒートシンクは、光源によって、光源がこのために構造部材に熱的に連結するにつれて、光を発することがそれ故、もはや必要でない時を生成した。
そして、光源が光源によって発される光を導くことができてもよい構造部材と統合されることができるにつれて、別々の照明器具が必要である。費用効果的な方法を、それによって与えることで、より少しの構成要素は、このように周知の溶液と比較して、導かれた太陽動力照明装置で必要である。
【０００９】
装置があってもよい太陽動力照明は、いかなる適切な実施のためにも利用した例えば、例えば農村地帯の通り照明を出力するためにまたは中で生きている人々のための屋内の照明のために例えばスラムである。前者の場合、１またはいくつかの光源は構造部材の第２側部に連結することができて、接地点の方へ基本的に光源から発される光を導くよう手配した。それによって、効率的な太陽動力通り照明は出力されることができる。後者の場合、太陽ものは装置が一部であってもよい照明を動かした例えば、太陽電池および太陽に向かっている構造部材および小屋の内部に向かっている構造部材の第２側部の第１側部については、金属は例えば簡素な小屋の屋根に波形をつけた。このことにより、単純で効果的溶液は、より安価な太陽動力屋内の照明を促進して形成される。
【００１０】
構造部材は、いかなる形状の中でも、そして、太陽電池に日光を向けることとともに熱を放散させることに適当な材料のいかなる組合せの中でもあってもよい。中実の一つの具体的な構造部材は、複数の層から成るはさまれた構造部材と同様に、本発明の範囲内である。さらにまた、例えば第１の反射面または第２側部の所望の効果は、構造部材を被覆することによって成し遂げられさえすることができる。第１側部の第１の反射面は、最適方法の細胞の方へ直射日光に好ましくは合うことができて、それ故、例えば凹形の形でもよい。加えて、入って来る日光（例えば、例えば金属、ステンレス鋼、アルミニウム合金）に対するミラーリング効果が被覆ポリマーに銀メッキをする、または、銀が硬化したガラスまたはそれの組合せを被覆したならば、第１の反射面はいかなる材料からも成ることができる。さらにまた、第２側部は、光源から熱エネルギー（熱）の好ましくは迅速な転送のために好ましくは形づくられることができて、それ故、手元に実施に充分なサイズおよび／または厚みの中であってもよい。加えて、例えば金属のような、第２側部は、いかなる材料を形成しているヒートシンク特徴からも成ることができる。
【００１１】
一実施例によれば、構造部材は、金属プレートであってもよい。このことにより、光を発するときに、構造部材は最適形状およびヒートシンク特徴を光源によって発生する熱を放散させるために提供することと結合して太陽電池に日光を向けることのための材料の中である。熱的に構造部材の凸面第２側部に連結する１またはいくつかの光源については、そして、第１側部をカバーする、大いに第１側部凹反射面については、この種の金属プレートは、太陽動力通りを照らしている装置のために、例えば利用されることができる。
【００１２】
効率的な方法の光源によって発される光を広げる際に援助するために、構造部材の第２側部は、光源によって発される直射的な光に配列される第２の反射面を備えていることができる。このことにより、第２側部は、熱放散を可能にすることができるだけでなくて、加えて、好適な方法の光源によって発される光を反射するのに適していてもよい。第２の反射面は、好適な方向の光源によって発される光を導く際に援助するために例えば配列されることができるか、または光を広げるよう手配した。
【００１３】
導かれた太陽動力照明装置に含む光源は、手元に実施に適用できるいかなるタイプの中でもあってもよい、そして、一実施例に一致することは、少なくとも一つの発光ダイオード（ＬＥＤ）から成ることができる。ＬＥＤは、頑丈さと同様に、生命の長期の間効果的な光源の選択を表す。例えば生命（ＬＥＤが熱の消散のために熱的に連結される構造部材が特に１またはいくつかのＬＥＤと組み合わせて有益である）のＬＥＤの潜在的長期を維持するための従来の電球と比較してＬＥＤを利用するときに、ヒートシンクは特に必要である。それはしかしながら可能で、本発明の範囲内である。そして、広帯域（変わる蛍光体で直接の）ＬＥＤおよび広帯域（変わる蛍光体）白いＬＥＤと同様に光源（例えば有機発光ダイオード（ＯＬＥＤ）、重合ＬＥＤ（ＰＬＥＤ）、無機のＬＥＤ、レーザーまたは組合せそれについて）の異なるタイプを使用する。さらにまた、その他との組合せはＴＬのようなソースに点火する、ＣＦＬはまた、可能である。
【００１４】
電力の増加した量が発生することを可能にする順序において、太陽電池は、複数の太陽電池の相互に連結した組立てに含むことができる。このことにより、複数の太陽電池が実施に利用できる場合、太陽電池は能率的にパッケージ溶液を形成している太陽電池板の一部であってもよい。更なる理由（例えばコストおよび実用性）のために、多くの細胞は、それ故、電気的に接続されることができて、太陽電池板で包まれることができる。一緒に機械的に太陽電池を固定することによって、例えば、例えばガラスおよびフレームのおおうフードで、太陽電池は、周囲の環境から、そして、その後例えば塵、雨、雹および砂塵嵐からさらに、保護されていることができる。
【００１５】
人工の照明のために最も大きな必要は、暗黒の時間（太陽が固まったあと、光源が好ましくは、光も発することを可能にされる）の間に起こることができる。その後、太陽動力照明装置は、太陽電池から電力を格納するための中間の記憶装置から更に成ることができる。この種の中間の記憶装置（たとえば再充電可能電池）を有する、太陽動力照明装置は、細胞を太陽ものから発生する電力を格納することができる、例えば日（例えば人工の光の必要がより大きくてもよい夜落下としての次の用途のため）である。
【００１６】
電力の無駄を回避するために、太陽動力照明装置は、光源を起動させるのに適している存在検出センサから更に成ることができる。この種の存在検出センサで、誰かまたは何かがセンサの有効到達エリアの中に来る場合、光源はスイッチを入れられることができる。そして、一方、例えば運動または体熱が領域の中で探知されない場合、スイッチを切られる。このことにより、必要であるとみなされるときに光源が起動するという点で、エネルギー無駄は回避されることができる、そして、中間の記憶装置の範囲内で格納される例のための電力はより長くもつことができることができる。
【００１７】
その後太陽電池に向けられる構造部材の第１側部の第１の反射面を打っている太陽の量を最大にする努力において、光が太陽として太陽電池につきあわれる太陽の焦点が空を横切るように、太陽動力照明装置は更に、第１側部の第１の反射面を曲げるのに適していてもよい。例えば太陽の位置を検出しているソーラー・トラッカの実施態様によって、明るい太陽が日の時間を問わず太陽電池の方向を最適に目指すことができるように、第１の反射面は傾けられるよう手配されることができるかまたは再編成されることができる。第１の反射している表層の再編成は、実施例が全ての構造部材または少なくともそれの大きな一部が影響を受けて物理的にあることを意味する一部のためにそうすることができる。
【００１８】
太陽動力照明装置の機能性を制御することが可能であるために、例えば、前述で述べられる第１の反射面の光源および／または傾けること例起動のために、太陽動力照明装置は、装置の制御のための制御装置から更に成ることができる。この種の制御装置はあるいは、または加えて、例えば光源から発される方向光が目指すかまたは反射される制御および／または発された光（例えば色の制御および／または強度）の構成に適していてもよい。そして、例えば異なって１以上（主要な）は光源に塗られて利用できなければならない。
【００１９】
光源から例えばより柔らかい光を出力することが可能であるために、太陽動力照明装置は、光源から発される光を拡散するための拡散器層から更に成ることができる。光源の近くで例えばこの種の層を適用することによって、光源から発される光は、点在することができるかまたは手元に実施に適切な方法で広げられることができる。周囲の環境から、拡散器層は、加えて、例えば第２側部または少なくとも光源を保護する際に援助することができる。
【００２０】
一実施例によれば、太陽動力照明装置は、立っている極に配置される。このことにより、効果的な取付けのための手段は、提供される、それは、例えば例農村地帯に直面しそうな通り照明のために、可能にすることができる。
【図面の簡単な説明】
【００２１】
【図１】図１は、本発明の第一の実施形態との一致した例示するソーラーパワーが供給された照明具の配置を図解する。
【図２】図２は、本発明の第二の実施形態との一致した例示するソーラーパワーが供給された照明具の配置を贈呈する。
【図３】図３は、三次元のビューにおいて、本発明の第三の実施形態との一致した例示するソーラーパワーが供給された照明具の配置を図解する。
【発明を実施するための形態】
【００２２】
図面の手短な記載
本発明のこれらの及び他の態様は、今、発明の現行で好適にされた実施形態を示す添付された図面への参照と共に、より多い詳細において記載されたものであることになるが、それらにおいて：
図１は、本発明の第一の実施形態との一致した例示するソーラーパワーが供給された照明具の配置を図解する；
図２は、本発明の第二の実施形態との一致した例示するソーラーパワーが供給された照明具の配置を贈呈する；及び、
図３は、三次元のビューにおいて、本発明の第三の実施形態との一致した例示するソーラーパワーが供給された照明具の配置を図解する。
【００２３】
実施形態の詳述された記載
本発明は、今、付随する図面への参照と共にここより後により多く十分に記載されたものであることになるが、そのところのものにおいて、発明の現行で好適にされた実施形態は、示されたものである。これの発明は、しかしながら、多数の異なる形態で具現化されたものであることがあると共に、ここに述べられた実施形態に限定されたようなものとして解されたものであるべきではないものである；むしろ、これらの実施形態は、徹底さ及び完全さのために提供されたものであると共に、熟練させられた受信人へ十分に発明の範囲を伝達する。同様の参照文字は、いたるところで同様の要素に言及する。
【００２４】
図１は、本発明の第１実施例に従う例証している太陽動力照明装置１である。説明を簡単にするため、図１の太陽動力照明配列１は、単一の太陽電池２から成る。しかしながら注意する。その１つ以上の太陽電池は太陽動力照明装置１（例えば複数の太陽電池の相互に連結した組立て）であってもよい。写真入りの一つの太陽電池２は、それ故、同様に、更に周囲の環境からの保護のためのおおうフードを備えていることができる１またはいくつかの太陽電池板であってもよい。太陽電池２が従来技術において公知のいかなる適用できる太陽電池もまたはパネルによって表されることができる、そして、太陽電池２が周知の方法の電力を発生させるのに適していてもよいと理解されることになっている。太陽電池２から電力を引き出すために、太陽動力装置１の能力を想定するために、電力１０を引き出すための手段は、例示される。電力１０を引き出すための手段は、従来技術においていかなる周知の溶液も含むことができて、必要な電気回路構成および充電コントローラを例えば含むことができる。さらに、太陽電池２から電力を格納する能力の説明のために、中間の記憶装置１１（例えば再充電可能電池）は、表される。
【００２５】
本発明の太陽動力照明配列１は１から成ることができる、または、いくつかの構造部材３は太陽電池２の近くで好ましくはアレンジした。３がそうすることができる構造部材の配置は、任意で、心において手元にある実施と協定した。構造部材３は太陽電池２に向かっている第１側部４から成る。そして、それを第１側部４は太陽電池２の方へ直射日光６に配列される第１の反射面５によって提供されることができる。入って来る日光（例えば、例えば金属、ステンレス鋼、アルミニウム合金）に対するミラーリング効果が被覆ポリマーに銀メッキをする、または、銀が硬化したガラスまたはそれの組合せを被覆したならば、第１の反射面５はいかなる材料からも成ることができる。図１において、構造部材３は、基本的にカーブするプレートであって、それ故、効率的な方法の太陽電池２に、日光を向けることができる。構造部材３の形状は、しかしながら図示の例のそれに、決して制限されない；これに反して、アプリケーションに適用できるいかなる形状も、手元に範囲の中にある。
【００２６】
構造部材３さらに、は、第２側部７を備えている。図１において、第２側部７は、第１側部４に基本的に反対である。しかしながら、第２側部７が同様に可能ないかなる任意の方法にも配置されていてもよい点に注意する；変形例を例証している傾向は、図２と連動して後ほど記載されている。
【００２７】
太陽動力照明装置１は１から成ることができる、または、電力によって少なくとも部分的に電力を供給されるのに適しているいくつかの光源８は太陽電池２に由来した。光源８の供給については、太陽が固まったあと、人工の光は例えば出力されることができる。光源８には成り立つことができるかまたは種々の光学的特殊効果（図示せず）を提供するためにいかなる数の光学的および／または非光学的コンポーネントが付いてくることができる点に留意する必要がある。これらの構成要素には、一つ以上の反射面（レンズ、拡散器および同類）所望の効果を印加するために異なる組合せにおいて使われるが制限されることなく含まれ得る。
【００２８】
光源８があってもよいものは、第２側部７上へアレンジして、その後熱的に３を構造部材に連結した。光９を発するときに、構造部材３はそれ故、光源８によって発生する熱の消散のためのヒートシンクとして作用することができる。光源８がこのために構造部材３に熱的に連結するので、それ故、光源８によって発生する熱の消散のための別々のヒートシンクが必要でない点に注意する。そして、光源８が、示すように、構造部材３と統合されることができるにつれて、光源８を含むための別々の照明器具は必要である。図１の図示の例において、光源８は、ＬＥＤである。
【００２９】
中で、ヒートシンクとして効率的な方法機能で注文する、第２側部７はそのために特徴を有する材料の中で好ましくはある。図の例では、すなわち固体一つの材料の中で、全ての構造部材３は、金属の中である。構造部材３は、あるいは、太陽電池２に日光を向けることとともに熱を放散させることに適当な材料のいかなる組合せからも成ることができる。複数の層から成るはさまれた構造部材は、同様にそれ故、範囲の中にある。さらにまた、例えば第１の反射面５または第２側部７の所望の効果は、構造部材３を被覆することによって成し遂げられさえすることができる。
【００３０】
本発明の必要であるけれども、第１実施例で、太陽動力照明装置１は立っているポール１２と連動して提供される。このことにより、太陽動力照明装置１は、例えば暗い場所（例えば離れてグリッド農村地帯）の通り照明を出力することができる。効率的な通り照明のために、光源８は、接地点の方へ基本的に光源８から発される直射的な光９に配列されて、ここにある。他の実施態様のための光源８がいかなる他方向もの直射的な光９に配列されることができることは、しかしながら有名でなければならない；異なる光源８は、異なる方向へ直射的な光９に配列されさえすることができる。
【００３１】
太陽動力照明装置１は、光源８を起動させるのに適している存在検出センサ１３からさらに、成ることができる。存在検出センサ１３の特性は異なることができる、そして、公知技術の存在検出センサ１３は行うことができる。存在検出センサ１３で、誰かまたは何かがセンサ１３の有効到達エリアの中に来る場合、光源８はスイッチを入れられることができて、例えば運動または体熱がその領域の中で探知されない場合、スイッチを切った。存在検出センサ１３の位置決めは、設定と同様に、例えば有効到達エリア、感度およびタイミング・パラメータに関して任意でもよくて、心の現在の実施態様で調整されることができる。別の実施例によれば、そして、光源８を入れ換えること、存在検出センサ１３によってよりむしろ例えばスイッチまたは遠隔制御によって成し遂げられることができる。
【００３２】
その後太陽電池２に向けられる第１の反射面５を打っている太陽６の量を最大にするために、太陽が空を横切るにつれて明るい太陽の焦点１７が太陽電池２に保たれるように、太陽動力照明装置１は更に、第１の反射面５を曲げるのに適していてもよい。第１実施例によれば、ソーラー・トラッカ１４（従来技術において周知でもよい）は、太陽の位置の検出のために提供される。具体例のソーラー・トラッカ１４の配置は例証することである、そして、いかなる任意の適用できる位置決めも同様に範囲の中にある。光６が最適にあってもよい太陽が日の時間を問わず太陽電池２の方へ指示したように、第１の反射面５は傾けられるよう手配されることができるかまたは再編成されることができる。ような、傾くことまたは再編成は、構造部材３が例えば太陽電池２および例えばそれに対して接続される（図示せず）モーターに可動に取り付けられることができるヒンジ１５で、例えば可能にされることができる。第１の反射面５（そして、おそらく第１側部４さえまたは全ての構造部材３さえ）の傾くことまたは再編成のために権能付与的な他の適用できる取付変形例は、自然にまた、可能である。
【００３３】
太陽動力照明装置１（例えば、例えば光源８および／または傾くこと起動または第１の反射面５の再編成）の機能性を制御することが可能であるために、太陽動力照明装置１の制御のための制御装置１６は、提供されることができる。この種の制御装置１６は、さらに、８が光源（ｓ）から発されるどの方向照明９において目指すかまたは反映されて、および／または発された光（例えば色および／または強度の制御）の構成であられてもよいかについて制御するのに適していてもよい。図の例では、制御装置１６は、電力１０を引き出すための手段およびポール１２と連動して便利に配置されるために表される中間の記憶装置１１に加えてある。しかしながらこれらの装置１６、１０、１１の配置が例証している注、そして、いかなる任意の適用できる位置決めも、太陽電池２または構造部材３と連動する例のために、同様に範囲の中にある。
【００３４】
使用中、太陽動力照明装置１は、手順を例証していて以下に従って機能することができる。日中、太陽は、太陽電池２に、そして、加えて、またはあるいは、太陽電池２の方の日光６の次の反射のための第１の反射面５に輝くことができる。電力は、このことにより電力１０を引き出すための手段によって発生することができて、中間の記憶装置１１に保存されることができる。日が過ぎるにつれて、それが空を横切るにつれて、ソーラー・トラッカ１４は太陽の位置を感知することができる。それによって、制御装置１６は、第１の反射している表層５を再編成することができるかまたは傾けることができる−ここ無傷の−したがって−構造部材３である。夜が来るか、または日光の間、さえ非常に好まれなければならないにつれて、光源８は太陽電池２（そして、誰かが来るときに活性化された／不活性化された、例えば）または葉（存在探知器１３の有効到達エリア）に由来する電力によってドライブされることができる。
【００３５】
図２は、本発明の第二実施形態に従って、例証している太陽動力照明装置２０１を示す。写真入りの太陽動力照明装置２０１は、図１（特徴的な違いだけが以下で述べられる）と連動して記載されていてその１に似ている。
【００３６】
図２の太陽動力照明配列２０１は、例えば屋内の照明に便利であるために成形される図１のそれとは対照的にある。構造部材２０３は、ここにある、太陽に向かっている構造部材２０３および小屋の内部に向かっている第２側部２０７の第１側部２０４によって、簡素な小屋の波形屋根の中で大きい構造を製造しているパート。建造物２０３が必ずしも波形にされるというわけでもなく、必ずしも屋根の一部であるというわけでもない点に注意する；他の実施態様は、同様に適用できてもよい。
【００３７】
ここの太陽動力照明装置２０１は複数の太陽電池から成る、または、すなわち第１側部２０４に、パネル２０２は構造部材２０３の上にアレンジした。図２の第１側部２０４は表層２０５が構造部材２０３に沿って配置したと思っていて複数の第一からさらに、成ることができる。そして、好ましくはそれぞれの太陽電池２０２の方へ最適方法直射日光２０６においてアレンジされる。
【００３８】
第二実施形態によれば、第２の反射面２２０は、光源２０８の近くで配列されることができる。第２の反射面２２０は床の方へ例えば構造部材２０３（直射的な光２０９が所望の方向の光源８によって発した最適方法で好ましくはアレンジされる）の第２側部２０７に沿って提供されて、ここにある、または、光２０９を広げる。第２の反射面２２０は、心の実施に適用できるいかなる形状も有することができて、特徴を反映して要求されるならば、いかなる材料（例えば金属）からも成ることができる。表層２２０を反映している第２は、別々の層またはコーティングによって示されることができるか、または第２側部２０７自体の材料によって表されさえすることができる。２０７が成ることができておよび／または構造部材２０３に沿って配置されている複数のこの種の第２の反射面２２０によって提供されることができる第２側部、例えば、利用できる複数の光源２０８が、なければならない。
【００３９】
図２の力に点火している配列２０１は、それに似ている光源２０８が第２側部２０７上に配列されて、その後熱的に構造部材２０３に連結するという図１のうちの１つ。構造部材２０３は、それ故、この第二実施形態の同様に光２０９を発するときに、熱の消散のためのシンクが光源２０８によって生成した熱として作用することができて、光源２０８のための照明器具を構成することができて、同じく、太陽電池２０２に日光２０６を向けるための反射器２０５として機能することができる。
【００４０】
図３は、例証しているソーラーが本発明の第三実施態様に従って装置３０１に点火して、電力を供給した三次元図において実例を示す。写真入りの太陽動力照明装置３０１は、図１および２（特徴的な違いだけが以下で述べられる）とともに記載されているそれらに似ている。
【００４１】
図３の構造部材３０３は、ここにある波形金属屋根の中で大きい構造を製造しているパート、そして、それ故、図２の第二実施形態に類似の例えば屋内の照明に便利である。図３の太陽動力照明配列３０１は、構造部材３０３の第１側部３０４全体に配列される複数の太陽電池またはパネル３０２と第２側部全体に配列される複数の光源３０８を備えている。各々の太陽電池３０２は、対応する太陽電池３０２および２つの光源３０８に日光を向けるための４つの第１の反射面３０５を備えて、ここにある。同様に太陽電池３０２の数としての位置決め、３０５および光源３０８が例証している反射面およびその他の可能な星座が同様に範囲の中にある点に注意する。マトリックスが形成されるように、太陽電池３０２は配列に配置されて、ここにある。それによって、太陽動力照明装置３０１は単一ポイントで提供されるよりはむしろ、より大きな屋根域に広げられるパッケージ溶液を示すことができる。
【００４２】
図３の例証している太陽動力照明配列３０１は、さらに、光源３０８から発される光を拡散するための拡散器層３３０から成る。拡散器層３３０は、点在するかまたは手元に実施に適切な方法で広げられる光源３０８から発される光を提供することができる。周囲の環境から、拡散器層３３０は、加えて、例えば第２側部３０７または少なくとも光源３０８を保護する際に援助することができる。図の例では、３３０がそうである拡散器層は、光源（ｓ）の下に、全ての構造部材３０３全体の３０８を配列した。しかしながら、注この種の拡散器層３３０が、例えば同様に１つだけまたは光源３０８のうちの２、３だけをカバーすることができて、異なって配置されることができるところの異なる形状を有する、それは、心の実施に適当でなければならない。
【００４３】
第１および第２の実施例の例証している溶液に同様に前述に記載されている第三実施態様の光源３０８が第２側部３０７上に配列されて、その後熱的に構造３０３に連結するにつれて、構造部材３０３はそれ故、この第三実施態様で同様に光源３０８によって発生する熱の消散のためのヒートシンクとして作用することができて、光源３０８のための照明器具を構成することができて、同じく、太陽電池３０２に日光３０６を向けている反射器３０５として機能することができる。
【００４４】
熟練させられた受信人は、本発明が、より上に記載された好適にされた実施形態に限定されたものであることが決してないものであることを認識する。反対に、熟練させられた受信人は、多数の変更及び変動が可能性のあるものであると共に添付された請求項の範囲内にあるものであることを理解する。開示された実施形態に対する変動は、図面、開示、及び添付された請求項の研究から、請求された発明を実践することにおいて、熟練させられた受信人によって理解された及び果たされたものであることができる。請求項において、単語“を具備する”は、他の要素又はステップを排除するものではないものであると共に、不定冠詞“ある”は、複数を排除するものではないものである。
【００４５】
クレーム：
１．  ソーラーパワーが供給された照明具の配置（１）であって、
−  ソーラーセル（２）；
−  前記ソーラーセル（２）から導き出された電気的なパワーによって最も少ないときで部分的にパワーが供給されたものであるために適合させられた光源（８）；並びに、
−  前記ソーラーセル（２）に向かって太陽光（６）を向けるために配置された第一の反射性の表面（５）及び前記光源（８）が光（９）を放出するとき前記光源（８）によって発生させられた熱を散逸させるために熱的に結合させられたものであるところの第二の表面（７）が提供された第一の側面（４）を有する構造的な部材（３）
：を具備する、ソーラーパワーが供給された照明具の配置。
【００４６】
２．  クレーム１に従ったソーラーパワーが供給された照明具の配置（１）において、
それにおいて、前記構造的な部材（３）は、金属のプレートである、ソーラーパワーが供給された照明具の配置。
【００４７】
３．  クレーム１又は２に従ったソーラーパワーが供給された照明具の配置において、
それにおいて、前記第二の側面（２０７）は、前記光源（２０８）によって放出された光（２０９）を向けるために配置された第二の反射性の表面（２２０）が提供されたものである、ソーラーパワーが供給された照明具の配置。
【００４８】
４．  先行するクレームのいずれの一つに従ったソーラーパワーが供給された照明具の配置（１）において、
それにおいて、上記の光源（８）は、最も少ないときで一つの光を放出するダイオード（ＬＥＤ）を具備する、ソーラーパワーが供給された照明具の配置。
【００４９】
５．  先行するクレームのいずれの一つに従ったソーラーパワーが供給された照明具の配置（１）において、
それにおいて、前記ソーラーセル（２）は、複数のソーラーセルの相互接続された組み立て品において具備されたものである、ソーラーパワーが供給された照明具の配置。
【００５０】
６．  先行するクレームのいずれの一つに従ったソーラーパワーが供給された照明具の配置（１）であって、
さらに、前記ソーラーセル（２）からの電気的なパワーを蓄積するための中間の蓄積ユニット（１１）を具備する、ソーラーパワーが供給された照明具の配置。
【００５１】
７．  先行するクレームのいずれの一つに従ったソーラーパワーが供給された照明具の配置（１）であって、
さらに、前記光源（８）を活動化するために適合させられた有ることの検出センサー（１３）を具備する、ソーラーパワーが供給された照明具の配置。
【００５２】
８．  先行するクレームのいずれの一つに従ったソーラーパワーが供給された照明具の配置（１）において、
それにおいて、上記の配置（１）は、太陽が空を移動する際に太陽の光の焦点の点（１７）が上記のソーラーセル（２）に保たれたものであるように、前記第一の側面（４）の上記の第一の反射性の表面（５）をある角度に向けるために適合させられたものである、ソーラーパワーが供給された照明具の配置。
【００５３】
９．  先行するクレームのいずれの一つに従ったソーラーパワーが供給された照明具の配置（１）であって、
さらに、前記配置（１）の制御のための制御ユニット（１６）を具備する、ソーラーパワーが供給された照明具の配置。
【００５４】
１０．  先行するクレームのいずれの一つに従ったソーラーパワーが供給された照明具の配置（３０１）であって、
さらに、上記の光源（３０８）から放出された光を拡散させるための拡散体の層（３３０）を具備する、ソーラーパワーが供給された照明具の配置。
【００５５】
１１．  先行するクレームのいずれの一つに従ったソーラーパワーが供給された照明具の配置（１）において、
それにおいて、上記の配置（１）は、立っている柱（１２）に配置されたものである、ソーラーパワーが供給された照明具の配置。
【図１】
2012531705.tif 000003
【図２】
2012531705.tif 000004
【図３】
2012531705.tif 000005
【手続補正書】
【提出日】平成24年1月12日(2012.1.12)
【手続補正１】
【補正対象書類名】特許請求の範囲
【補正対象項目名】全文
【補正方法】変更
【補正の内容】
【特許請求の範囲】
【請求項１】
ソーラーパワーが供給された照明具の配置であって、
ソーラーセル；
前記ソーラーセルから導き出された電気的なパワーによって最も少ないときで部分的にパワーが供給されたものであるために適合させられた光源；並びに、
前記ソーラーセルに向かって太陽光を向けるために配置された第一の反射性の表面が提供された第一の側面並びに前記光源が光を放出するとき前記光源によって発生させられた熱を散逸させるために配置された及び熱的に結合させられたものであるところの、前記第一の側面に対して対向させられた、第二の側面を有する構造的な部材
：を具備する、ソーラーパワーが供給された照明具の配置。
【請求項２】
請求項１に従ったソーラーパワーが供給された照明具の配置において、
前記構造的な部材は、金属のプレートである、ソーラーパワーが供給された照明具の配置。
【請求項３】
請求項１又は２に従ったソーラーパワーが供給された照明具の配置において、
前記第二の側面は、前記光源によって放出された光を向けるために配置された第二の反射性の表面が提供されたものである、ソーラーパワーが供給された照明具の配置。
【請求項４】
請求項１から３までのいずれか一つに従ったソーラーパワーが供給された照明具の配置において、
上記の光源は、最も少ないときで一つの発光ダイオードを具備する、ソーラーパワーが供給された照明具の配置。
【請求項５】
請求項１から４までのいずれか一つに従ったソーラーパワーが供給された照明具の配置において、
前記ソーラーセルは、複数のソーラーセルの相互接続された組み立て品において具備されたものである、ソーラーパワーが供給された照明具の配置。
【請求項６】
請求項１から５までのいずれか一つに従ったソーラーパワーが供給された照明具の配置であって、
さらに、前記ソーラーセルからの電気的なパワーを蓄積するための中間の蓄積ユニットを具備する、ソーラーパワーが供給された照明具の配置。
【請求項７】
請求項１から６までのいずれか一つに従ったソーラーパワーが供給された照明具の配置であって、
さらに、前記光源を活動化するために適合させられた存在検出センサーを具備する、ソーラーパワーが供給された照明具の配置。
【請求項８】
請求項１から７までのいずれか一つに従ったソーラーパワーが供給された照明具の配置において、
上記の配置は、太陽が空を移動する際に太陽の光の焦点が上記のソーラーセルに保たれたものであるように、前記第一の側面の上記の第一の反射性の表面をある角度に向けるために適合させられたものである、ソーラーパワーが供給された照明具の配置。
【請求項９】
請求項１から８までのいずれか一つに従ったソーラーパワーが供給された照明具の配置であって、
さらに、前記配置の制御のための制御ユニットを具備する、ソーラーパワーが供給された照明具の配置。
【請求項１０】
請求項１から９までのいずれか一つに従ったソーラーパワーが供給された照明具の配置であって、
さらに、上記の光源から放出された光を拡散させるための拡散体の層を具備する、ソーラーパワーが供給された照明具の配置。
【請求項１１】
請求項１から１０までのいずれか一つに従ったソーラーパワーが供給された照明具の配置において、
上記の配置は、立っている柱に配置されたものである、ソーラーパワーが供給された照明具の配置。
【手続補正２】
【補正対象書類名】明細書
【補正対象項目名】００４５
【補正方法】変更
【補正の内容】
【００４５】
クレーム：
１．  ソーラーパワーが供給された照明具の配置（１）であって、
−  ソーラーセル（２）；
−  前記ソーラーセル（２）から導き出された電気的なパワーによって最も少ないときで部分的にパワーが供給されたものであるために適合させられた光源（８）；並びに、
−  前記ソーラーセル（２）に向かって太陽光（６）を向けるために配置された第一の反射性の表面（５）が提供された第一の側面（４）及び前記光源（８）が光（９）を放出するとき前記光源（８）によって発生させられた熱を散逸させるために熱的に結合させられたものであるところの第二の側面（７）を有する構造的な部材（３）
：を具備する、ソーラーパワーが供給された照明具の配置。
【国際調査報告】
2012531705.tif 000006
2012531705.tif 000007
2012531705.tif 000008